(57)【要約】  【課題】  電柱に架設する被覆電線の曲げ及びくせ付け作業において、作業空間の極小化、作業の省力化、軽減を可能とする電線くせ付け器を提供する。  【解決手段】  被覆電線ａの種別と当該架設箇所の曲げ及びくせ付けの形状、寸法を想定し、被覆電線ａを電線くせ付け器本体１の中央ローラー１４の外周に添え、固定アーム１１を回動させて中央ローラー１４と固定側ローラー１３により被覆電線ａを挟みこむ状態とする。そして、レバー２を操作してロック軸３を回転板９のロック軸挿入孔１０に挿入することによって、回転板９及び固定アーム１１を固定する。次に、固定アーム１１を基準として回転板９に均等に設けられたロック軸挿入孔１０を目安に回転角度を調整して、伝達軸７を回転させることによって、可動アーム１５と共に回転側ローラー１７を回転させて、所定の曲げ及びくせ付けを実施する。  【選択図】図３
2007110875.tif 000002
【特許請求の範囲】
【請求項１】
配電線工事において電柱に架設される被覆電線の取付個所において、引留具への固定及び腕金、碍子などより電気的離隔距離を確保するために被覆電線を曲げ及びくせ付けする電線くせ付け器であって、
外部からの動力を伝達する伝達軸と、
該伝達軸の回転により回転する中央ローラーと、
該中央ローラーを軸芯にして３６０度回動でき、ロック機構によって固定される回転板と、
該回転板に結合され、該回転板に連動して回転及び固定される固定アームと、
該固定アーム先端に設けられ、前記被覆電線を載荷する固定側ローラーと、
前記中央ローラーに結合され、前記伝達軸の回転により前記中央ローラーを介して回転する可動アームと、
該可動アーム先端に設けられ、前記被覆電線を載荷する回転側ローラーと、
を備えることを特徴とする電線くせ付け器。
【請求項２】
請求項１に記載の電線くせ付け器であって、
前記固定アームを基準に前記回転板に一定の角度で均等に設けられたロック軸挿入孔を備え、前記ロック機構はロック軸挿入孔にロック軸を挿入するものであることを特徴とする電線くせ付け器。
【請求項３】
請求項１又は２に記載の電線くせ付け器であって、
前記伝達軸に電動の回転動力源から供給される動力を伝達するための駆動器を備え、
該駆動器は、前記回転動力源から伝達される回転を減速する減速装置と、該減速装置により減速された回転を前記伝達軸に伝達するための伝達軸継手とを備えることを特徴とする電線くせ付け器。
【請求項４】
請求項１又は２に記載の電線くせ付け器であって、
前記電線くせ付け器の伝達軸を手動により回転させるためのハンドルを接続するハンドル接続体を備えることを特徴とする電線くせ付け器。
【発明の詳細な説明】
【技術分野】
【０００１】
本発明は配電線工事における電柱に架設される被覆電線の取付場所において、引留具への固定と、腕金及び碍子などから電気的離隔距離を確保するために行う被覆電線の曲げ及びくせ付け作業のための工具に関するものである。
【背景技術】
【０００２】
電柱に架設する被覆電線の取付個所における引留具への固定と腕金及び碍子から電気的離隔距離を確保するために行う被覆電線の曲げ及びくせ付け作業は、従来、当該架設箇所の地上または電柱上において手作業により行っていた。
【０００３】
一方、近年は、配電線工事において無停電化に伴う間接活線作業が進められ、電柱に取り付けられた腕金及び碍子に架設する被覆電線を曲げ及びくせ付けする場合、隣接する被覆電線に電気を通した状態で作業を行うことが多くなっている。
【０００４】
このため、作業の省力化と作業者の負担軽減等の観点から、上記被覆電線の曲げ及びくせ付け作業において、狭小な作業空間においても容易に被覆電線の曲げ及びくせ付け作業が実施可能な工具の開発が要望されている。
【０００５】
なお、前述のとおり、従来は手作業により被覆電線の曲げ及びくせ付けを行っているため、このような工具に関する文献公知発明は特に見当たらない。
【発明の開示】
【発明が解決しようとする課題】
【０００６】
この発明は、この様な事情に鑑みなされたものであり、その目的とするところは、電柱に架設する被覆電線の曲げ及びくせ付け作業において、作業空間の極小化、作業の省力化、軽減を可能とする工具を提供することにある。
【課題を解決するための手段】
【０００７】
上記目的を達成するための本発明の電線くせ付け器は、外部からの回転動力源を接続する伝達軸と、該伝達軸の回転により回転する中央ローラーと、該中央ローラーを軸芯にして３６０度回動でき、ロック機構によって固定される回転板と、該回転板に結合され、該回転板に連動して回転及び固定される固定アームと、該固定アーム先端に設けられ、前記被覆電線を載荷する固定側ローラーと、前記中央ローラーに結合され、前記伝達軸の回転により前記中央ローラーを介して回転する可動アームと、該可動アーム先端に設けられ、前記被覆電線を載荷する回転側ローラーと、を備えることに特徴を有する。
【０００８】
なお、前記固定アームを基準に前記回転板に一定の角度で均等に設けられたロック軸挿入孔を備え、前記ロック機構はロック軸挿入孔にロック軸を挿入するものであることが望ましい。このような構成とすることにより、回転板に均等に設けられたロック軸挿入孔を目安に可動アームの回転角度を調整することができ、所定の曲げ及びくせ付けが、より容易となる。
【０００９】
また、電動の回転動力源から伝達される回転を減速する減速装置と、該減速装置により減速された回転を前記伝達軸に伝達するための伝達軸継手とを備える駆動器を、前記電線くせ付け器に設けるようにしてもよい。このような駆動器を設けて電動の回転動力源を使用することにより、重量のある被覆電線であっても、容易に曲げ及びくせ付けを行うことができる。
【００１０】
また、前記電線くせ付け器は、伝達軸を手動により回転させるためのハンドルを接続するハンドル接続体を備えるものであってもよい。このような構成とすることにより、電動の回転動力源を使用することなく手作業で被覆電線の曲げ及びくせ付けを行うこともできる。
【発明の効果】
【００１１】
本発明の電線くせ付け器によれば、電柱に架設する被覆電線の曲げ及びくせ付け作業において、作業空間の極小化、作業時間の短縮、作業の省力化、作業コストの低減を図ることができる。
【発明を実施するための最良の形態】
【００１２】
次に、本発明に係る電線くせ付け器と、この電線くせ付け器を使用した電線の曲げ及びくせ付け方法について図面を参照しながら以下に説明する。
【００１３】
図１は電線くせ付け器の右側面図、図２は電線くせ付け器の右側面断面図、図３は被覆電線ａを挿入し、曲げ及びくせ付けを施す場合の正面図である。
【００１４】
以下の実施形態では、電線くせ付け器は、電線くせ付け器本体１と駆動器本体１８（請求項の「駆動器」に相当する。）とから構成される場合と、電線くせ付け器本体１とハンドル本体３０（請求項の「ハンドル接続体」に相当する。）とから構成される場合の２種類の構成について説明する。
【００１５】
電線くせ付け器本体１には伝達軸７を軸芯にして回動した後、ロック軸３により固定される回転板９が設けられ、この回転板９の下端には固定アーム１１と、その先端に固定軸１２を軸芯にして回転する固定側ローラー１３とを設けてある。ロック軸３は図２の左方向に向かってスプリング４により常時付勢されており、ロック軸３の先端部を回転板９の複数のロック軸挿入孔１０のうちの１ヶ所の位置に合わせて挿入することにより、固定アーム１１の位置固定、すなわち回転板９の固定がなされる。
【００１６】
換言すれば、ロック軸３に接続されたレバー２をレバー移動溝５に沿って図２の右方向へスプリング４の押圧力に反して移動させ、ロック軸３の先端部をロック軸挿入孔１０から開放することにより、固定アーム１１の回動、すなわち回転板９の回動を行うことができる。
【００１７】
電線くせ付け器本体１には、手動操作によるハンドル又は電動の回転動力源から供給される動力を伝達するための駆動器を電線くせ付け器本体１の中央に設けられた伝達軸７に接続した後、固定するための一対の連結ピン６が設けられている。
【００１８】
図１及び図２に示すように、電線くせ付け器本体１の伝達軸７の外部からの動力を接続する側と反対の先端には中央ローラー１４が設けられており、この中央ローラー１４には可動アーム１５が併設されている。さらに、可動アーム１５の先端には、固定軸１６を軸心に回転する回転側ローラー１７が設けられている。
【００１９】
従って、外部から動力が伝達され伝達軸７が回転すると、可動アーム１５と共に回転側ローラー１７が伝達軸７を軸芯にして回転することになる。なお、回転側ローラー１７は、可動アーム１５を回動した際に被覆電線ａが回転側ローラー１７上を若干移動（スライド）することを考慮して、固定軸１６を軸心として回転可能な構造となっている。
【００２０】
図３は、上述の電線くせ付け器に被覆電線ａを挿入し、曲げ及びくせ付けを施す場合の正面図であり、被覆電線ａの種別と当該架設箇所の曲げ及びくせ付けの形状、寸法を想定し、被覆電線ａを電線くせ付け器本体１の中央ローラー１４の外周に添え、固定アーム１１を回動させて中央ローラー１４と固定側ローラー１３により被覆電線ａを挟みこむ状態とする。そして、レバー２を操作してロック軸３を回転板９のロック軸挿入孔１０に挿入することによって、回転板９及び固定アーム１１が固定される。なお、固定側ローラー１３は、前述した回転側ローラー１７と同様に被覆電線ａが固定側ローラー１３上を若干移動（スライド）することを考慮して、固定軸１２を軸心として回転可能な構造となっている。
【００２１】
一方、回転側ローラー１７を被覆電線ａの曲げ及びくせ付けを施すために被覆電線ａの外周に移動させ、固定アーム１１を基準として回転板９に均等に設けられたロック軸挿入孔１０を回転角度の目安として、曲げ及びくせ付け寸法に基づき伝達軸７を回転させることによって、所定の曲げ及びくせ付けを実施する。被覆電線ａから電線くせ付け器を取り外すには、伝達軸７を逆回転させ回転側ローラー１７を元の位置に戻した後、レバー２を操作してロック軸挿入孔１０からロック軸３を外し、回転板９を回動させることによって、電線くせ付け器が取り除ける状態となる。
【００２２】
図４は電線くせ付け器本体ｌに電動の回転動力源（図示せず）から供給される動力を伝達するための駆動器本体１８を接続し、固定した状態の右側面図であり、図５はその部分断面図である。油圧または電気による回転動力源は、駆動器本体１８の連結金具１９に接続され、その固定は一対の連結ピン２０によって行う。接続された回転動力源から供給される動力は、連結軸２１と結合されている回転数を減らし回転力を上げる作用を有する減速装置２５に伝達され、伝達軸継手２６に接続されている電線くせ付け器本体１の伝達軸７を回転させる。
【００２３】
また、回転動力源は作業性に応じて、連結金具１９ではなくもう一方の連結金具２２へ接続できるようにしている。この場合、連結軸２３の回転は先端の一対の傘歯車２４を介し連結軸２１へと伝達されることになる。
【００２４】
駆動器本体１８の電線くせ付け器本体１への固定は、スプリング２９によって常時付勢されているレバー２８を一旦脱き、連結ピン穴２７に電線くせ付け器本体１の連結ピン６を挿入し、再びレバー２８を挿入することによりなされる。
【００２５】
図６は電線くせ付け器本体１に駆動器本体１８を接続固定し、被覆電線ａを挿入した後、回転動力源を用いて、曲げ及びくせ付けを行った場合の正面図である。被覆電線ａの種別と当該架設箇所の曲げ、くせ付け形状及び寸法を想定し、被覆電線ａを電線くせ付け器本体１の中央ローラー１４の外周に添え、固定アーム１１を回動させて中央ローラー１４と固定側ローラー１３により被覆電線ａを挟みこむ状態で固定する。そして、レバー２を操作してロック軸３を回転板９のロック軸挿入孔１０に挿入することによって、回転板９及び固定アーム１１が固定される。
【００２６】
次に、回転側ローラー１７を被覆電線ａの曲げ及びくせ付けを施すために被覆電線ａの外周に移動させ、固定アーム１１を基準として回転板９に均等に設けられたロック軸挿入孔１０を回転角度の目安として、曲げ及びくせ付け寸法に基づき連結軸２１又は連結軸２３を回転動力源により回転させ所定の曲げ及びくせ付けがなされる。
【００２７】
被覆電線ａから電線くせ付け器を取り外すには、連結軸２１又は連結軸２３を逆回転させ回転側ローラー１７を元の位置に戻した後、レバー２を操作してロック軸挿入孔１０からロック軸３を外し、回転板９を回動させることによって、電線くせ付け器が取り除ける状態となる。
【００２８】
図７は電線くせ付け器本体１に手動操作用の一対のハンドル３２及びハンドル３３を接続固定した場合の正面図であり、図８は図７の右側面断面図である。
【００２９】
まず、電線くせ付け器本体１の下部のハンドル挿入孔８にハンドル３３を挿入して固定する。つぎに、ハンドル本体３０の中央には伝達軸孔３１があり、この伝達軸孔３１に電線くせ付け器本体１の伝達軸７が挿入される。ハンドル本体３０には、電線くせ付け器本体１の連結ピン６によりハンドル本体３０を電線くせ付け器本体１に固定するための連結ピン穴３４が設けられている。ハンドル本体３０を電線くせ付け器本体１に固定するには、スプリング３６によって常時付勢されているレバー３５を一旦外す。そして、電線くせ付け器本体１の連結ピン６が連結ピン穴３４に挿入された状態で、レバー３５を再び挿入して、ハンドル本体３０を電線くせ付け器本体１に固定するのである。ハンドル本体３０にはハンドル３２が接続されており、このハンドル３２及びハンドル３３を円操作することにより伝達軸７を回転させることができる。
【００３０】
図９は電線くせ付け器本体１に手動操作用のハンドル本体３０と一対のハンドル３２、ハンドル３３を接続固定し、被覆電線ａを挿入した後、ハンドル３２、ハンドル３３の手動操作により曲げ及びくせ付けを行った場合の正面図である。
【００３１】
被覆電線ａの種別と当該架設箇所の曲げ及びくせ付け形状、寸法を想定し、被覆電線ａを電線くせ付け器本体１の中央ローラー１４の外周に添え、固定アーム１１を回動させて中央ローラー１４と固定側ローラー１３により被覆電線ａを挟みこむ状態で固定する。そして、レバー２を操作してロック軸３を回転板９のロック軸挿入孔１０に挿入することによって、回転板９及び固定アーム１１が固定される。
【００３２】
次に、回転側ローラー１７を被覆電線ａの曲げ及びくせ付けを施すために被覆電線ａの外周に移動させ、固定アーム１１を基準として回転板９に均等に設けられたロック軸挿入孔１０を回転角度の目安として、曲げ及びくせ付け寸法に基づきハンドル３２、ハンドル３３を回転させ所定の曲げ及びくせ付けを行うのである。
【００３３】
被覆電線ａから電線くせ付け器を取り外すには、ハンドル３２、ハンドル３３を逆回転させ回転側ローラー１７を元の位置に戻した後、レバー２を操作してロック軸挿入孔１０からロック軸３を外し、回転板９を回動させることによって、電線くせ付け器が取り除ける状態となる。
【００３４】
図１０は配電線工事における電柱ｄに取り付けられた腕金ｃ、碍子ｂに架設する被覆電線ａの引留個所において、電気的離隔距離を確保するために電線くせ付け器本体１に駆動器本体１８または手動操作用のハンドル本体３０と一対のハンドル３２、ハンドル３３を接続固定し、被覆電線ａの曲げ及びくせ付けを行う箇所の一例を示した斜視図である。
【００３５】
図１１は配電線工事における電柱ｄに取り付けられた腕金ｃ、碍子ｂに架設する被覆電線ａの引留個所において、電柱ｄ上部または地上において電線くせ付け器を用い被覆電線ａをコの字形状にした場合の斜視図であり、図１２は被覆電線ａをＺ字形状にした場合の斜視図である。
【図面の簡単な説明】
【００３６】
【図１】本発明に係る電線くせ付け器の右側面図である。
【図２】本発明に係る電線くせ付け器の右側面断面図である。
【図３】電線くせ付け器に被覆電線を挿入した状態を示す説明図である。
【図４】電線くせ付け器の本体に駆動器本体を接続固定した状態の右側面図である。
【図５】電線くせ付け器の本体に駆動器本体を接続固定した状態の部分断面図である。
【図６】電糠くせ付け器に駆動器本体を接続固定し、被覆電線を挿入した状態を示す説明図である。
【図７】電線くせ付け器と駆動器本体とに手動操作用の一対のハンドルを接続固定した状態を示す説明図である。
【図８】電線くせ付け器と駆動器本体とに手動操作用の一対のハンドルを接続固定した状態を示す右側面の部分断面図である。
【図９】電線くせ付け器と駆動器本体とに手動操作用の一対のハンドルを接続固定し、被覆電線を挿入した状態を示す説明図である。
【図１０】配電線工事における電柱に取り付けられた腕金、碍子に架設する被覆電線の引留個所の斜視図である。
【図１１】電線くせ付け器を用い被覆電線の曲げ及びくせ付けを行い、コの字形状にした場合の斜視図である。
【図１２】電線くせ付け器を用い被覆電線の曲げ及びくせ付けを行い、Ｚ字形状にした場合の斜視図である。
【符号の説明】
【００３７】
ａ．  被覆電線
ｂ．  碍子
ｃ．  腕金
ｄ．  電柱
１．  本体
２．  レバー
３．  ロック軸
４．  スプリング
５．  レバー移動溝
６．  連結ピン
７．  伝達軸
８．  ハンドル挿入孔
９．  回転板
１０．ロック軸挿入孔
１１．固定アーム
１２．固定軸
１３．固定側ローラー
１４．中央ローラー
１５．可動アーム
１６．固定軸
１７．回転側ローラー
１８．駆動器本体（回転動力用）
１９．連結金具
２０．連結ピン
２１．連結軸
２２．連結金具
２３．連結軸
２４．傘歯車
２５．減速装置
２６．伝達軸継手
２７．連結ピン穴
２８．レバー
２９．スプリング
３０．ハンドル本体（手動用）
３１．伝達軸孔
３２．ハンドル
３３．ハンドル
３４．連結ピン孔
３５．レバー
３６．スプリング
【図１】
2007110875.tif 000003
【図２】
2007110875.tif 000004
【図３】
2007110875.tif 000005
【図４】
2007110875.tif 000006
【図５】
2007110875.tif 000007
【図６】
2007110875.tif 000008
【図７】
2007110875.tif 000009
【図８】
2007110875.tif 000010
【図９】
2007110875.tif 000011
【図１０】
2007110875.tif 000012
【図１１】
2007110875.tif 000013
【図１２】
2007110875.tif 000014
【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
配電線工事において電柱に架設される被覆電線の取付個所において、引留具への固定及び腕金、碍子などより電気的離隔距離を確保するために被覆電線を曲げ及びくせ付けする電線くせ付け器であって、
電線くせ付け器本体と、該電線くせ付け器本体に設けられ、外部からの動力を伝達する伝達軸と、該伝達軸の回転により回転する中央ローラーと、前記本体の前面に位置し、前記中央ローラーを軸芯にして３６０度回動でき、ロック機構によって固定される回転板と、該回転板に結合され、該回転板に連動して回転及び固定される固定アームと、該固定アーム先端に設けられ、前記被覆電線を載荷する固定側ローラーと、前記中央ローラーに結合され、前記伝達軸の回転により前記中央ローラーを介して回転する可動アームと、該可動アーム先端に設けられ、前記被覆電線を載荷する回転側ローラーと、を含む電線くせ付け器に対し、
電動の回転動力源から供給される動力を前記電線くせ付け器本体の伝達軸に伝達するための駆動器と、前記伝達軸を手動により回転させるためのハンドルを接続するハンドル接続体とが設けられ、
前記駆動器は、電動の回転動力源から供給される動力を連結する連結軸と、前記電線くせ付け器本体の背面側に位置し、前記連結軸から伝達される回転数を減速する減速装置と、該減速装置により減速された回転を前記伝達軸に伝達するための伝達軸継手とが一体に構成されてなり、
前記ハンドル接続体は、前記電線くせ付け器本体の側面に取り付けられる固定側ハンドルと、前記電線くせ付け器本体の背面に位置するハンドル本体と、該ハンドル本体に取り付けられ、前記電線くせ付け器の伝達軸を手動により回転させる回転側ハンドルとで構成されてなり、
前記電線くせ付け器本体の背面に、前記駆動器又は前記ハンドル本体を着脱自在に連結可能とすると共に、前記電線くせ付け器本体の側面に、前記固定側ハンドルを着脱自在に連結可能とすることにより、電線くせ付け器の動力源を電動の回転動力源又は手動による回転に選択可能としたことを特徴とする電線くせ付け器。
【請求項２】
請求項１に記載の電線くせ付け器であって、
前記固定アームを基準に前記回転板に一定の角度で均等に設けられたロック軸挿入孔を備え、前記ロック機構はロック軸挿入孔にロック軸を挿入するものであることを特徴とする電線くせ付け器。
【請求項３】
請求項１又は請求項２に記載の電線くせ付け器であって、
前記駆動器の前記連結軸は、該連結軸の軸方向が前記中央ローラーの軸方向に一致する連結軸と、該連結軸に傘歯車を介して直交する連結軸との２本からなり、作業に応じていずれか一方の連結軸に回転動力源が連結可能であることを特徴とする電線くせ付け器。
【請求項４】
請求項１乃至請求項３のいずれか１項に記載の電線くせ付け器の使用方法であって、
前記電線くせ付け器本体の背面側に接続すべき回転動力源を前記駆動器及びハンドル本体の中から選択して接続し、
次に前記回転側ローラーを被覆電線の外周に沿って移動させることにより前記被覆電線の曲げ及びくせ付けを施すに際し、
被覆電線の種別と架設箇所の曲げ、くせ付け形状及び寸法を想定し、前記被覆電線を電線くせ付け器本体の中央ローラーの外周に添え、
前記固定アームを回動させて中央ローラーと固定側ローラーとにより被覆電線を挟みこむ状態で固定し、
次にロック軸を前記回転板に挿入して該回転板と前記固定アームとを電線くせ付け器本体に固定し、
しかる後に前記回転側ローラーの移動を開始することを特徴とする電線くせ付け器の使用方法。
【手続補正２】
【補正対象書類名】明細書
【補正対象項目名】全文
【補正方法】変更
【補正の内容】
【発明の詳細な説明】
【技術分野】
【０００１】
本発明は配電線工事における電柱に架設される被覆電線の取付場所において、引留具への固定と、腕金及び碍子などから電気的離隔距離を確保するために行う被覆電線の曲げ及びくせ付け作業のための工具と、その使用方法に関するものである。
【背景技術】
【０００２】
電柱に架設する被覆電線の取付個所における引留具への固定と腕金及び碍子から電気的離隔距離を確保するために行う被覆電線の曲げ及びくせ付け作業は、従来、当該架設箇所の地上または電柱上において手作業により行っていた。
【０００３】
一方、近年は、配電線工事において無停電化に伴う間接活線作業が進められ、電柱に取り付けられた腕金及び碍子に架設する被覆電線を曲げ及びくせ付けする場合、隣接する被覆電線に電気を通した状態で作業を行うことが多くなっている。
【０００４】
このため、作業の省力化と作業者の負担軽減等の観点から、上記被覆電線の曲げ及びくせ付け作業において、狭小な作業空間においても容易に被覆電線の曲げ及びくせ付け作業が実施可能な工具の開発が要望されている。
【０００５】
なお、前述のとおり、従来は手作業により被覆電線の曲げ及びくせ付けを行っているため、このような工具に関する文献公知発明は特に見当たらない。
【発明の開示】
【発明が解決しようとする課題】
【０００６】
この発明は、この様な事情に鑑みなされたものであり、その目的とするところは、電柱に架設する被覆電線の曲げ及びくせ付け作業において、作業空間の極小化、作業の省力化、軽減を可能とする工具とその使用方法を提供することにある。
【課題を解決するための手段】
【０００７】
上記目的を達成するための本発明の電線くせ付け器は、配電線工事において電柱に架設される被覆電線の取付個所において、引留具への固定及び腕金、碍子などより電気的離隔距離を確保するために被覆電線を曲げ及びくせ付けする電線くせ付け器であって、
電線くせ付け器本体と、該電線くせ付け器本体に設けられ、外部からの動力を伝達する伝達軸と、該伝達軸の回転により回転する中央ローラーと、前記本体の前面に位置し、前記中央ローラーを軸芯にして３６０度回動でき、ロック機構によって固定される回転板と、該回転板に結合され、該回転板に連動して回転及び固定される固定アームと、該固定アーム先端に設けられ、前記被覆電線を載荷する固定側ローラーと、前記中央ローラーに結合され、前記伝達軸の回転により前記中央ローラーを介して回転する可動アームと、該可動アーム先端に設けられ、前記被覆電線を載荷する回転側ローラーと、を含む電線くせ付け器に対し、電動の回転動力源から供給される動力を前記電線くせ付け器本体の伝達軸に伝達するための駆動器と、前記伝達軸を手動により回転させるためのハンドルを接続するハンドル接続体とが設けられ、前記駆動器は、電動の回転動力源から供給される動力を連結する連結軸と、前記電線くせ付け器本体の背面側に位置し、前記連結軸から伝達される回転数を減速する減速装置と、該減速装置により減速された回転を前記伝達軸に伝達するための伝達軸継手とが一体に構成されてなり、前記ハンドル接続体は、前記電線くせ付け器本体の側面に取り付けられる固定側ハンドルと、前記電線くせ付け器本体の背面に位置するハンドル本体と、該ハンドル本体に取り付けられ、前記電線くせ付け器の伝達軸を手動により回転させる回転側ハンドルとで構成されてなり、前記電線くせ付け器本体の背面に、前記駆動器又は前記ハンドル本体を着脱自在に連結可能とすると共に、前記電線くせ付け器本体の側面に、前記固定側ハンドルを着脱自在に連結可能とすることにより、電線くせ付け器の動力源を電動の回転動力源又は手動による回転に選択可能としたことに特徴を有する。
【０００８】
なお、前記固定アームを基準に前記回転板に一定の角度で均等に設けられたロック軸挿入孔を備え、前記ロック機構はロック軸挿入孔にロック軸を挿入するものであることが望ましい。このような構成とすることにより、回転板に均等に設けられたロック軸挿入孔を目安に可動アームの回転角度を調整することができ、所定の曲げ及びくせ付けが、より容易となる。
【０００９】
前述のように、電動の回転動力源から伝達される連結軸と、その回転を減速する減速装置と、該減速装置により減速された回転を前記伝達軸に伝達するための伝達軸継手とを備える駆動器を、前記電線くせ付け器に設け、電動の回転動力源を使用することにより、重量のある被覆電線であっても、容易に曲げ及びくせ付けを行うことができる。前記連結軸は、その軸方向が前記中央ローラーの軸方向に一致する連結軸と、この連結軸に傘歯車を介して直交する連結軸との２本からなり、作業に応じていずれか一方の連結軸に回転動力源が連結可能であるのが望ましい。
【００１０】
また、前述のように、前記電線くせ付け器に、伝達軸を手動により回転させるためのハンドルを接続するハンドル接続体を備えることにより、電動の回転動力源を使用することなく手作業で被覆電線の曲げ及びくせ付けを行うこともできる。
【００１１】
そして、これら電線くせ付け器の使用方法としては、前記電線くせ付け器本体の背面側に接続すべき回転動力源を前記駆動器及びハンドル本体の中から選択して接続し、次に前記回転側ローラーを被覆電線の外周に沿って移動させることにより前記被覆電線の曲げ及びくせ付けを施すに際し、被覆電線の種別と架設箇所の曲げ、くせ付け形状及び寸法を想定し、前記被覆電線を電線くせ付け器本体の中央ローラーの外周に添え、前記固定アームを回動させて中央ローラーと固定側ローラーとにより被覆電線を挟みこむ状態で固定し、次にロック軸を前記回転板に挿入して回転板と固定アームとを電線くせ付け器本体に固定し、しかる後に前記回転側ローラーの移動を開始することが望ましい。
【発明の効果】
【００１２】
本発明の電線くせ付け器及びその使用方法によれば、電柱に架設する被覆電線の曲げ及びくせ付け作業において、作業空間の極小化、作業時間の短縮、作業の省力化、作業コストの低減を図ることができる。
【発明を実施するための最良の形態】
【００１３】
次に、本発明に係る電線くせ付け器と、この電線くせ付け器を使用した電線の曲げ及びくせ付け方法について図面を参照しながら以下に説明する。
【００１４】
図１は電線くせ付け器の右側面図、図２は電線くせ付け器の右側面断面図、図３は被覆電線ａを挿入し、曲げ及びくせ付けを施す場合の正面図である。
【００１５】
以下の実施形態では、電線くせ付け器は、電線くせ付け器本体１と駆動器本体１８（請求項の「駆動器」に相当する。）とから構成される場合と、電線くせ付け器本体１とハンドル本体３０（請求項の「ハンドル接続体」に相当する。）とから構成される場合の２種類の構成について説明する。
【００１６】
電線くせ付け器本体１には伝達軸７を軸芯にして回動した後、ロック軸３により固定される回転板９が設けられ、この回転板９の下端には固定アーム１１と、その先端に固定軸１２を軸芯にして回転する固定側ローラー１３とを設けてある。ロック軸３は図２の左方向に向かってスプリング４により常時付勢されており、ロック軸３の先端部を回転板９の複数のロック軸挿入孔１０のうちの１ヶ所の位置に合わせて挿入することにより、固定アーム１１の位置固定、すなわち回転板９の固定がなされる。
【００１７】
換言すれば、ロック軸３に接続されたレバー２をレバー移動溝５に沿って図２の右方向へスプリング４の押圧力に反して移動させ、ロック軸３の先端部をロック軸挿入孔１０から開放することにより、固定アーム１１の回動、すなわち回転板９の回動を行うことができる。
【００１８】
電線くせ付け器本体１には、手動操作によるハンドル又は電動の回転動力源から供給される動力を伝達するための駆動器を電線くせ付け器本体１の中央に設けられた伝達軸７に接続した後、固定するための一対の連結ピン６が設けられている。
【００１９】
図１及び図２に示すように、電線くせ付け器本体１の伝達軸７の外部からの動力を接続する側と反対の先端には中央ローラー１４が設けられており、この中央ローラー１４には可動アーム１５が併設されている。さらに、可動アーム１５の先端には、固定軸１６を軸心に回転する回転側ローラー１７が設けられている。
【００２０】
従って、外部から動力が伝達され伝達軸７が回転すると、可動アーム１５と共に回転側ローラー１７が伝達軸７を軸芯にして回転することになる。なお、回転側ローラー１７は、可動アーム１５を回動した際に被覆電線ａが回転側ローラー１７上を若干移動（スライド）することを考慮して、固定軸１６を軸心として回転可能な構造となっている。
【００２１】
図３は、上述の電線くせ付け器に被覆電線ａを挿入し、曲げ及びくせ付けを施す場合の正面図であり、被覆電線ａの種別と当該架設箇所の曲げ及びくせ付けの形状、寸法を想定し、被覆電線ａを電線くせ付け器本体１の中央ローラー１４の外周に添え、固定アーム１１を回動させて中央ローラー１４と固定側ローラー１３により被覆電線ａを挟みこむ状態とする。そして、レバー２を操作してロック軸３を回転板９のロック軸挿入孔１０に挿入することによって、回転板９及び固定アーム１１が固定される。なお、固定側ローラー１３は、前述した回転側ローラー１７と同様に被覆電線ａが固定側ローラー１３上を若干移動（スライド）することを考慮して、固定軸１２を軸心として回転可能な構造となっている。
【００２２】
一方、回転側ローラー１７を被覆電線ａの曲げ及びくせ付けを施すために被覆電線ａの外周に移動させ、固定アーム１１を基準として回転板９に均等に設けられたロック軸挿入孔１０を回転角度の目安として、曲げ及びくせ付け寸法に基づき伝達軸７を回転させることによって、所定の曲げ及びくせ付けを実施する。被覆電線ａから電線くせ付け器を取り外すには、伝達軸７を逆回転させ回転側ローラー１７を元の位置に戻した後、レバー２を操作してロック軸挿入孔１０からロック軸３を外し、回転板９を回動させることによって、電線くせ付け器が取り除ける状態となる。
【００２３】
図４は電線くせ付け器本体１に電動の回転動力源（図示せず）から供給される動力を伝達するための駆動器本体１８を接続し、固定した状態の右側面図であり、図５はその部分断面図である。油圧または電気による回転動力源は、駆動器本体１８の連結金具１９に接続され、その固定は一対の連結ピン２０によって行う。接続された回転動力源から供給される動力は、連結軸２１と結合されている回転数を減らし回転力を上げる作用を有する減速装置２５に伝達され、伝達軸継手２６に接続されている電線くせ付け器本体１の伝達軸７を回転させる。
【００２４】
また、回転動力源は作業性に応じて、連結金具１９ではなくもう一方の連結金具２２へ接続できるようにしている。この場合、連結軸２３の回転は先端の一対の傘歯車２４を介し連結軸２１へと伝達されることになる。
【００２５】
駆動器本体１８の電線くせ付け器本体１への固定は、スプリング２９によって常時付勢されているレバー２８を一旦脱き、連結ピン穴２７に電線くせ付け器本体１の連結ピン６を挿入し、再びレバー２８を挿入することによりなされる。
【００２６】
図６は電線くせ付け器本体１に駆動器本体１８を接続固定し、被覆電線ａを挿入した後、回転動力源を用いて、曲げ及びくせ付けを行った場合の正面図である。被覆電線ａの種別と当該架設箇所の曲げ、くせ付け形状及び寸法を想定し、被覆電線ａを電線くせ付け器本体１の中央ローラー１４の外周に添え、固定アーム１１を回動させて中央ローラー１４と固定側ローラー１３により被覆電線ａを挟みこむ状態で固定する。そして、レバー２を操作してロック軸３を回転板９のロック軸挿入孔１０に挿入することによって、回転板９及び固定アーム１１が固定される。
【００２７】
次に、回転側ローラー１７を被覆電線ａの曲げ及びくせ付けを施すために被覆電線ａの外周に移動させ、固定アーム１１を基準として回転板９に均等に設けられたロック軸挿入孔１０を回転角度の目安として、曲げ及びくせ付け寸法に基づき連結軸２１又は連結軸２３を回転動力源により回転させ所定の曲げ及びくせ付けがなされる。
【００２８】
被覆電線ａから電線くせ付け器を取り外すには、連結軸２１又は連結軸２３を逆回転させ回転側ローラー１７を元の位置に戻した後、レバー２を操作してロック軸挿入孔１０からロック軸３を外し、回転板９を回動させることによって、電線くせ付け器が取り除ける状態となる。
【００２９】
図７は電線くせ付け器本体１に手動操作用の一対のハンドル３２及びハンドル３３を接続固定した場合の正面図であり、図８は図７の右側面断面図である。
【００３０】
まず、電線くせ付け器本体１の下部のハンドル挿入孔８にハンドル３３を挿入して固定する。つぎに、ハンドル本体３０の中央には伝達軸孔３１があり、この伝達軸孔３１に電線くせ付け器本体１の伝達軸７が挿入される。ハンドル本体３０には、電線くせ付け器本体１の連結ピン６によりハンドル本体３０を電線くせ付け器本体１に固定するための連結ピン穴３４が設けられている。ハンドル本体３０を電線くせ付け器本体１に固定するには、スプリング３６によって常時付勢されているレバー３５を一旦外す。そして、電線くせ付け器本体１の連結ピン６が連結ピン穴３４に挿入された状態で、レバー３５を再び挿入して、ハンドル本体３０を電線くせ付け器本体１に固定するのである。ハンドル本体３０にはハンドル３２が接続されており、このハンドル３２及びハンドル３３を円操作することにより伝達軸７を回転させることができる。
【００３１】
図９は電線くせ付け器本体１に手動操作用のハンドル本体３０と一対のハンドル３２、ハンドル３３を接続固定し、被覆電線ａを挿入した後、ハンドル３２、ハンドル３３の手動操作により曲げ及びくせ付けを行った場合の正面図である。
【００３２】
被覆電線ａの種別と当該架設箇所の曲げ及びくせ付け形状、寸法を想定し、被覆電線ａを電線くせ付け器本体１の中央ローラー１４の外周に添え、固定アーム１１を回動させて中央ローラー１４と固定側ローラー１３により被覆電線ａを挟みこむ状態で固定する。そして、レバー２を操作してロック軸３を回転板９のロック軸挿入孔１０に挿入することによって、回転板９及び固定アーム１１が固定される。
【００３３】
次に、回転側ローラー１７を被覆電線ａの曲げ及びくせ付けを施すために被覆電線ａの外周に移動させ、固定アーム１１を基準として回転板９に均等に設けられたロック軸挿入孔１０を回転角度の目安として、曲げ及びくせ付け寸法に基づきハンドル３２、ハンドル３３を回転させ所定の曲げ及びくせ付けを行うのである。
【００３４】
被覆電線ａから電線くせ付け器を取り外すには、ハンドル３２、ハンドル３３を逆回転させ回転側ローラー１７を元の位置に戻した後、レバー２を操作してロック軸挿入孔１０からロック軸３を外し、回転板９を回動させることによって、電線くせ付け器が取り除ける状態となる。
【００３５】
図１０は配電線工事における電柱ｄに取り付けられた腕金ｃ、碍子ｂに架設する被覆電線ａの引留個所において、電気的離隔距離を確保するために電線くせ付け器本体１に駆動器本体１８または手動操作用のハンドル本体３０と一対のハンドル３２、ハンドル３３を接続固定し、被覆電線ａの曲げ及びくせ付けを行う箇所の一例を示した斜視図である。
【００３６】
図１１は配電線工事における電柱ｄに取り付けられた腕金ｃ、碍子ｂに架設する被覆電線ａの引留個所において、電柱ｄ上部または地上において電線くせ付け器を用い被覆電線ａをコの字形状にした場合の斜視図であり、図１２は被覆電線ａをＺ字形状にした場合の斜視図である。
【図面の簡単な説明】
【００３７】
【図１】本発明に係る電線くせ付け器の右側面図である。
【図２】本発明に係る電線くせ付け器の右側面断面図である。
【図３】電線くせ付け器に被覆電線を挿入した状態を示す説明図である。
【図４】電線くせ付け器の本体に駆動器本体を接続固定した状態の右側面図である。
【図５】電線くせ付け器の本体に駆動器本体を接続固定した状態の部分断面図である    。
【図６】電線くせ付け器に駆動器本体を接続固定し、被覆電線を挿入した状態を示す    説明図である。
【図７】電線くせ付け器と駆動器本体とに手動操作用の一対のハンドルを接続固定し    た状態を示す説明図である。
【図８】電線くせ付け器と駆動器本体とに手動操作用の一対のハンドルを接続固定し    た状態を示す右側面の部分断面図である。
【図９】電線くせ付け器と駆動器本体とに手動操作用の一対のハンドルを接続固定し    、被覆電線を挿入した状態を示す説明図である。
【図１０】配電線工事における電柱に取り付けられた腕金、碍子に架設する被覆電線    の引留個所の斜視図である。
【図１１】電線くせ付け器を用い被覆電線の曲げ及びくせ付けを行い、コの字形状に    した場合の斜視図である。
【図１２】電線くせ付け器を用い被覆電線の曲げ及びくせ付けを行い、Ｚ字形状にし    た場合の斜視図である。
【符号の説明】
【００３８】
ａ．  被覆電線
ｂ．  碍子
ｃ．  腕金
ｄ．  電柱
１．  本体
２．  レバー
３．  ロック軸
４．  スプリング
５．  レバー移動溝
６．  連結ピン
７．  伝達軸
８．  ハンドル挿入孔
９．  回転板
１０．ロック軸挿入孔
１１．固定アーム
１２．固定軸
１３．固定側ローラー
１４．中央ローラー
１５．可動アーム
１６．固定軸
１７．回転側ローラー
１８．駆動器本体（回転動力用）
１９．連結金具
２０．連結ピン
２１．連結軸
２２．連結金具
２３．連結軸
２４．傘歯車
２５．減速装置
２６．伝達軸継手
２７．連結ピン穴
２８．レバー
２９．スプリング
３０．ハンドル本体（手動用）
３１．伝達軸孔
３２．ハンドル
３３．ハンドル
３４．連結ピン孔
３５．レバー
３６．スプリング